【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
撮像手段と、
記憶手段と、
前記撮像手段により得られた動画データを記録媒体に記録する記録手段と、
動画撮影中に被写体像の被写界深度が変化したことに応じて、前記動画撮影中の動画データの一部を前記記憶手段に記憶する制御手段と、
前記動画データの撮影が停止された後、前記記憶手段に記憶された動画データを読み出して表示する手段と、
を有することを特徴とする撮像装置。
【請求項２】
撮像手段と、
記憶手段と、
前記撮像手段により得られた動画データを記録媒体に記録する記録手段と、
前記撮像手段の絞り値が所定値よりも大きい場合に動画撮影中に前記絞り値が変化したことに応じて、前記動画撮影中の動画データの一部を前記記憶手段に記憶し、前記撮像手段の絞り値が前記所定値よりも小さい場合に動画撮影中に被写体の合焦位置が変化したことに応じて、前記動画撮影中の動画データの一部を前記記憶手段に記憶する制御手段と、
前記動画データの撮影が停止された後、前記記憶手段に記憶された動画データを読み出して表示する手段と、
を有することを特徴とする撮像装置。
【請求項３】
撮像手段と、
記憶手段と、
前記撮像手段により得られた動画データを記録媒体に記録する記録手段と、
前記撮像手段の絞り値が所定値よりも大きい場合に動画撮影中に前記絞り値が変化したことに応じて、前記動画撮影中の動画データの一部を前記記憶手段に記憶し、前記撮像手段の絞り値が前記所定値よりも小さい場合に動画撮影中に主被写体が移動したことに応じて、前記動画撮影中の動画データの一部を前記記憶手段に記憶する制御手段と、
前記動画データの撮影が停止された後、前記記憶手段に記憶された動画データを読み出して表示する手段と、
を有することを特徴とする撮像装置。
【請求項４】
前記制御手段は、前記撮像手段の絞り値が所定値よりも大きい場合で、かつ動画撮影中に前記撮像手段の絞り値が所定量以上変化した場合に、前記動画撮影中の動画データの一部を前記記憶手段に記憶することを特徴とする請求項２又は３に記載の撮像装置。
【請求項５】
撮像手段と、記憶手段と、前記撮像手段により得られた動画データを記録媒体に記録する記録手段とを有する撮像装置を制御する撮像装置の制御方法であって、
動画撮影中に被写体像の被写界深度が変化したことに応じて、前記動画撮影中の動画データの一部を前記記憶手段に記憶する制御工程と、
前記動画データの撮影が停止された後、前記記憶手段に記憶された動画データを読み出して表示する工程と、
を有することを特徴とする撮像装置の制御方法。
【請求項６】
撮像手段と、記憶手段と、前記撮像手段により得られた動画データを記録媒体に記録する記録手段とを有する撮像装置を制御する撮像装置の制御方法であって、
前記撮像手段の絞り値が所定値よりも大きい場合に動画撮影中に前記絞り値が変化したことに応じて、前記動画撮影中の動画データの一部を前記記憶手段に記憶し、前記撮像手段の絞り値が前記所定値よりも小さい場合に動画撮影中に被写体の合焦位置が変化したことに応じて、前記動画撮影中の動画データの一部を前記記憶手段に記憶する制御工程と、
前記動画データの撮影が停止された後、前記記憶手段に記憶された動画データを読み出して表示する工程と、
を有することを特徴とする撮像装置の制御方法。
【請求項７】
撮像手段と、記憶手段と、前記撮像手段により得られた動画データを記録媒体に記録する記録手段とを有する撮像装置を制御する撮像装置の制御方法であって、
前記撮像手段の絞り値が所定値よりも大きい場合に動画撮影中に前記絞り値が変化したことに応じて、前記動画撮影中の動画データの一部を前記記憶手段に記憶し、前記撮像手段の絞り値が前記所定値よりも小さい場合に動画撮影中に主被写体が移動したことに応じて、前記動画撮影中の動画データの一部を前記記憶手段に記憶する制御工程と、
前記動画データの撮影が停止された後、前記記憶手段に記憶された動画データを読み出して表示する工程と、
を有することを特徴とする撮像装置の制御方法。
【請求項８】
前記制御工程は、前記撮像手段の絞り値が所定値よりも大きい場合で、かつ動画撮影中に前記撮像手段の絞り値が所定量以上変化した場合に、前記動画撮影中の動画データの一部を前記記憶手段に記憶することを特徴とする請求項６又は７に記載の撮像装置の制御方法。
【手続補正２】
【補正対象書類名】明細書
【補正対象項目名】０００９
【補正方法】変更
【補正の内容】
【０００９】
本発明の特徴は、動画が撮影可能に構成された撮像装置において、動画撮影後に合焦位置の確認が容易に行えるような撮像装置及びその制御方法を提供することにある。
【手続補正３】
【補正対象書類名】明細書
【補正対象項目名】００１０
【補正方法】変更
【補正の内容】
【００１０】
上記目的を達成するために本発明の一態様に係る撮像装置は以下のような構成を備える。即ち、
撮像手段と、
記憶手段と、
前記撮像手段により得られた動画データを記録媒体に記録する記録手段と、
動画撮影中に被写体像の被写界深度が変化したことに応じて、前記動画撮影中の動画データの一部を前記記憶手段に記憶する制御手段と、
前記動画データの撮影が停止された後、前記記憶手段に記憶された動画データを読み出して表示する手段と、を有することを特徴とする。
【手続補正４】
【補正対象書類名】明細書
【補正対象項目名】００１１
【補正方法】変更
【補正の内容】
【００１１】
上記目的を達成するために本発明の一態様に係る撮像装置は以下のような構成を備える。即ち、
撮像手段と、
記憶手段と、
前記撮像手段により得られた動画データを記録媒体に記録する記録手段と、
前記撮像手段の絞り値が所定値よりも大きい場合に動画撮影中に前記絞り値が変化したことに応じて、前記動画撮影中の動画データの一部を前記記憶手段に記憶し、前記撮像手段の絞り値が前記所定値よりも小さい場合に動画撮影中に被写体の合焦位置が変化したことに応じて、前記動画撮影中の動画データの一部を前記記憶手段に記憶する制御手段と、
前記動画データの撮影が停止された後、前記記憶手段に記憶された動画データを読み出して表示する手段と、を有することを特徴とする。
【手続補正５】
【補正対象書類名】明細書
【補正対象項目名】００１２
【補正方法】変更
【補正の内容】
【００１２】
上記目的を達成するために本発明の一態様に係る撮像装置の制御方法は以下のような工程を備える。即ち、
撮像手段と、記憶手段と、前記撮像手段により得られた動画データを記録媒体に記録する記録手段とを有する撮像装置を制御する撮像装置の制御方法であって、
動画撮影中に被写体像の被写界深度が変化したことに応じて、前記動画撮影中の動画データの一部を前記記憶手段に記憶する制御工程と、
前記動画データの撮影が停止された後、前記記憶手段に記憶された動画データを読み出して表示する工程と、を有することを特徴とする。
【手続補正６】
【補正対象書類名】明細書
【補正対象項目名】００１３
【補正方法】変更
【補正の内容】
【００１３】
上記目的を達成するために本発明の一態様に係る撮像装置の制御方法は以下のような工程を備える。即ち、
撮像手段と、記憶手段と、前記撮像手段により得られた動画データを記録媒体に記録する記録手段とを有する撮像装置を制御する撮像装置の制御方法であって、
前記撮像手段の絞り値が所定値よりも大きい場合に動画撮影中に前記絞り値が変化したことに応じて、前記動画撮影中の動画データの一部を前記記憶手段に記憶し、前記撮像手段の絞り値が前記所定値よりも小さい場合に動画撮影中に被写体の合焦位置が変化したことに応じて、前記動画撮影中の動画データの一部を前記記憶手段に記憶する制御工程と、
前記動画データの撮影が停止された後、前記記憶手段に記憶された動画データを読み出して表示する工程と、を有することを特徴とする。
【手続補正７】
【補正対象書類名】明細書
【補正対象項目名】００１４
【補正方法】変更
【補正の内容】
【００１４】
本発明によれば、動画撮影後の確認再生表示において、被写界深度が変化した画像を表示するようにしたので、ユーザは動画撮影時の合焦を確認しやすくなった。
【手続補正８】
【補正対象書類名】明細書
【補正対象項目名】００１５
【補正方法】変更
【補正の内容】
【００１５】
また本発明によれば、被写界深度が浅いシーンにおいて、ユーザが、合焦位置変化の前後、及び被写体の移動前後での合焦確認を容易に行えるようになった。